(57)【要約】      （修正有）【課題】特に高剛性人工石材製本体を有する工作機械用部材を提供する。【解決手段】人工石材製本体３０と、前記人工石材製本体３０の内部に埋設された複数の鋼製ブラケット２１と、前記鋼製ブラケット２１に張設されることにより、該鋼製ブラケット２１と共に高剛性構造体を構成する複数の強化ネット２２と、前記人工石材製本体３０に埋設された少なくとも一つの嵌入部材により構成する。【選択図】図８
0003146852.tif 000002
【実用新案登録請求の範囲】
【請求項１】
人工石材製本体（３０）と、
前記人工石材製本体（３０）の内部に埋設された複数の鋼製ブラケット（２１）と、
前記鋼製ブラケット（２１）に張設されることにより、該鋼製ブラケット（２１）と共に高剛性構造体を構成する複数の強化ネット（２２）と、
前記人工石材製本体（３０）に埋設された少なくとも一つの嵌入部材と、を含むことを特徴とする工作機械用部材。
【請求項２】
前記嵌入部材は人工石材製本体（３０）の内部に埋設された少なくとも一つの配管（２３）であることを特徴とする請求項１に記載の工作機械用部材。
【請求項３】
前記嵌入部材は人工石材製本体（３０）の表層に埋設された複数のねじ穴ユニット（２４）であることを特徴とする請求項２に記載の工作機械用部材。
【請求項４】
前記嵌入部材は人工石材製本体（３０）の表層に埋設された少なくとも一つの金属レール（２５）であることを特徴とする請求項３に記載の工作機械用部材。
【請求項５】
前記嵌入部材は人工石材製本体（３０）の表層に埋設された複数のねじ穴ユニット（２４）であることを特徴とする請求項１に記載の工作機械用部材。
【請求項６】
前記嵌入部材は人工石材製本体（３０）の表層に埋設された少なくとも一つの金属レール（２５）であることを特徴とする請求項５に記載の工作機械用部材。
【請求項７】
前記嵌入部材は人工石材製本体（３０）の表層に埋設された少なくとも一つの金属レール（２５）であることを特徴とする請求項１に記載の工作機械用部材。
【請求項８】
前記鋼製ブラケット（２１）は棒鋼であることを特徴とする請求項１〜７のいずれか一項に記載の工作機械用部材。
【請求項９】
前記鋼製ブラケット（２１）は金属レール（２５）に当接された棒鋼であることを特徴とする請求項４又は６に記載の工作機械用部材。
【請求項１０】
前記鋼製ブラケット（２１）は金属レール（２５）に当接された金属鋼製ブラケットであることを特徴とする請求項４又は６に記載の工作機械用部材。
【考案の詳細な説明】
【技術分野】
【０００１】
本考案は、特に人工石材製本体を有する工作機械用部材に関するものである。
【背景技術】
【０００２】
鋳鉄は熱、摩擦、腐蝕、低温に強く、磁気、電気を通し、加工し易いなどの特性を有するので、工作機械用部材の製造に広く利用されている。また、ＴＷＭ３００１５１号「一体型工作機械構造」及びＴＷ公開２００７１５３５７号「工作機械」などにはその具体的な実施形態が掲示されている。
【考案の開示】
【考案が解決しようとする課題】
【０００３】
しかしながら、鋳鉄は、熱伝導率が高く、環境温度の変化に大きく影響されるので、加工精度の安定性が環境温度と作業時間により変化してしまうと共に、鋳鉄の表面は粗いので、適当な加工が必要となる。さらに、鋳鉄鋳造工場の製造工程においては、膨大な量のエネルギーを使用して鋳鉄を溶融する必要があり、その後、再びエネルギーなどを使用することによりアニール処理、熱処理、表面加工処理、高精度加工を行う必要があるので、各工程において、膨大な量のエネルギーを消耗するだけでなく、膨大な量の排気、油煙、粉塵も排出するので、環境に対する影響や作業員の健康に対する影響も大きい。
【０００４】
故に、鋳鉄で工作機械用部材を製造することにより発生する、加工精度が悪い、製造工程におけるエネルギーの消耗量が多い、汚染が発生し易いなどの問題を解決するために、高剛性人工石材製本体を有する工作機械用部材を提供するものである。
【０００５】
本考案の工作機械用部材は主に、人工石材製本体を用いると共に、該人工石材製本体の内部に強化部材と嵌入部材を埋設することにより、高剛性、高振動吸収効果、低熱伝導率などの機械特性を具備するものである。
【課題を解決するための手段】
【０００６】
本願の請求項１に係る考案は、人工石材製本体（３０）と、
前記人工石材製本体（３０）の内部に埋設された複数の鋼製ブラケット（２１）と、
前記鋼製ブラケット（２１）に張設されることにより、該鋼製ブラケット（２１）と共に高剛性構造体を構成する複数の強化ネット（２２）と、
前記人工石材製本体（３０）に埋設された少なくとも一つの嵌入部材と、を含むことを特徴とする工作機械用部材を提供するものである。
【０００７】
本願の請求項２に係る考案は、前記嵌入部材は人工石材製本体（３０）の内部に埋設された少なくとも一つの配管（２３）であることを特徴とする請求項１に記載の工作機械用部材を提供するものである。
【０００８】
本願の請求項３に係る考案は、前記嵌入部材は人工石材製本体（３０）の表層に埋設された複数のねじ穴ユニット（２４）であることを特徴とする請求項２に記載の工作機械用部材を提供するものである。
【０００９】
本願の請求項４に係る考案は、前記嵌入部材は人工石材製本体（３０）の表層に埋設された少なくとも一つの金属レール（２５）であることを特徴とする請求項３に記載の工作機械用部材を提供するものである。
【００１０】
本願の請求項５に係る考案は、前記嵌入部材は人工石材製本体（３０）の表層に埋設された複数のねじ穴ユニット（２４）であることを特徴とする請求項１に記載の工作機械用部材を提供するものである。
【００１１】
本願の請求項６に係る考案は、前記嵌入部材は人工石材製本体（３０）の表層に埋設された少なくとも一つの金属レール（２５）であることを特徴とする請求項５に記載の工作機械用部材を提供するものである。
【００１２】
本願の請求項７に係る考案は、前記嵌入部材は人工石材製本体（３０）の表層に埋設された少なくとも一つの金属レール（２５）であることを特徴とする請求項１に記載の工作機械用部材を提供するものである。
【００１３】
本願の請求項８に係る考案は、前記鋼製ブラケット（２１）は棒鋼であることを特徴とする請求項１〜７のいずれか一項に記載の工作機械用部材を提供するものである。
【００１４】
本願の請求項９に係る考案は、前記鋼製ブラケット（２１）は金属レール（２５）に当接された棒鋼であることを特徴とする請求項４又は６に記載の工作機械用部材を提供するものである。
【００１５】
本願の請求項１０に係る考案は、前記鋼製ブラケット（２１）は金属レール（２５）に当接された金属鋼製ブラケットであることを特徴とする請求項４又は６に記載の工作機械用部材を提供するものである。
【考案の効果】
【００１６】
本考案に係る工作機械用部材は、以下に示すような効果を達成することができる。
１．本考案に係る工作機械用部材は、高剛性人工石材製本体の内部に鋼製ブラケットや強化ネットなどの強化部材が埋設されていることから、高鋼性、高振動吸収効果、共鳴が発生し難く、高動態性、低熱伝導率などの特性を具備するので、鋳鉄製のものよりもさらに優れた機械特性を有する。
２．本考案に係る工作機械用部材は、低熱伝導率の特性を有することから、使用中、環境の温度変化などによる影響を受け難いので、工作機械用部材の安定性をより高めることができると共に、加工精度を向上させることができる。
３．本考案に係る工作機械用部材は、製造工程が極めて簡単であることから、加工、熱処理、及び搬送などの工程を省くことができるので、生産効率を向上させることができると共に、製造コストも低下にも繋がる。
４．本考案に係る工作機械用部材の製造工程は常温下で行われることから、従来のように、鋳鉄鋳造工場の製造工程において、膨大な量のエネルギーを使用して鋳鉄を溶融し、その後、再びエネルギーなどを使用することによりアニール処理、熱処理、表面加工処理などを行う必要がないので、エネルギーを節約できると共に、汚染のリスクを低減させることができる。
５．本考案に係る工作機械用部材の製造に用いる材料は、主に回収された花崗岩などの廃棄石材、加工過程において発生した廃棄材料、及び回収した廃棄ガラスなどを使用することができるので、製造コストを大きく抑えることができる。
６．本考案に係る工作機械用部材では、配管、金属部材、及びレールなどの嵌入部材が人工石材製本体の内部又は表層に埋設されるので、加工成型の利便性やバリエーションを向上させることができる。
【考案を実施するための最良の形態】
【００１７】
以下、添付図面を参照して本考案の好適な実施の形態を詳細に説明する。尚、下記実施例は、本考案の好適な実施の形態を示したものにすぎず、本考案の技術的範囲は、該実施例そのものに何ら限定されるものではない。
【００１８】
図１は本考案に係る工作機械用部材の製造工程の流れ図であり、図２は本考案に係る工作機械用部材の分解斜視図であり、図３は本考案に係る工作機械用部材の斜視図であり、図４は本考案に係る工作機械用部材の注入工程の模式図であり、図５は本考案に係る工作機械用部材の固化成型工程の模式図であり、図６は本考案に係る工作機械用部材の脱型工程の模式図であり、図７は本考案の工作機械用部材に係る実施例の斜視図であり、図８は本考案の工作機械用部材に係る実施例の側面断面図である。
【００１９】
図１に示すように、本考案に係る工作機械用部材（Ａ）の製造工程は、以下の七つの工程を含むものである。
【００２０】
１．材料の用意：粉末状又はペレット状の高剛性石材（例えば、花崗岩）及びガラス材を用意するが、該高剛性石材及びガラス材は、新品を購入して使用してもよく、回収した廃棄材料を加工して使用してもよい。より詳細に説明すると、本考案に係る工作機械用部材（Ａ）には、廃棄された花崗岩などの高剛性廃棄石材を回収して使用し、又は花崗岩などの高剛性石材の加工により発生された廃棄材料を回収し、該高剛性廃棄石材を粉末状又はペレット状に解砕して使用する。なお、該工作機械用部材（Ａ）においては、廃棄された廃棄ガラスを回収して使用し、又はガラスの加工により発生された廃棄材料を回収し、該廃棄ガラスを粉末状又はペレット状に解砕して使用してもよい。
【００２１】
２．金型の設置：金型は、工作機械用部材（Ａ）の仕様、形状により設置され、図２、３に示すように、前記金型（１０）は下型（１１）と、下型（１１）の周囲にそれぞれ立設され、内側の形状が異なる四つの側型（１２）とを含むものであり、該下型（１１）と各側型（１２）とにより溝（１３）が形成されると共に、該下型（１１）と各側型（１２）における溝（１３）側の内面に離型剤が塗布される。尚、図３に示すように、その後の成型工程の便利性を高めるために、前記金型（１０）は振動装置（５０）のステージに設置される。
【００２２】
３．組立部材の設置：本考案の工作機械用部材（Ａ）においては、特性及び所望の高剛性により、溝（１３）の範囲内に強化部材及び嵌入部材が設置され、即ち、図２、３に示すように、本考案に係る実施例の強化部材は、間隔をおいて設置される複数の鋼製ブラケット（２１）と、各側型（１２）の内面に近接すると共に、該鋼製ブラケット（２１）に張設される強化ネット（２２）とを含む。尚、前記鋼製ブラケット（２１）及び強化ネット（２２）は、棒鋼や金属鋼製ブラケット、鋼製ネットなどの高剛性を有するものであってもよい。また、前記嵌入部材は、平行に所定の間隔で設置される二つの配管（２３）と、複数のねじ穴ユニット（２４）と、二つの金属レール（２５）とを含み、該ねじ穴ユニット（２４）と金属レール（２５）とを選定された表層に装着する。
【００２３】
４．材料の撹拌混合：所定量の粉末状又はペレット状の高剛性石材を用意し、その中に適当な比例の粉末状又はペレット状のガラス材を添加し、充分且つ均一に撹拌混合した後、順次に適当量の樹脂及び適当な比例の固化剤を添加し、再び充分且つ均一に撹拌混合する。尚、図４に示すように、本考案においては、撹拌装置（６０）により撹拌及び混合を行う。
【００２４】
５．注入・固化成型：図４、５に示すように、均一に撹拌された材料を金型（１０）の溝（１３）に注入すると共に、振動装置（５０）により適当に金型（１０）を振動させ、人工石材製本体（３０）の内部に残留した気泡を除去し固化成型する。
【００２５】
６．脱型：図６に示すように、人工石材製本体（３０）からなる工作機械用部材（Ａ）を金型（１０）から取り出し、人工石材製本体（３０）の表面に対して適当に加熱処理を行うことにより、人工石材製本体（３０）を充分に固化する。
【００２６】
７．仕上げ工程：図７に示すように、人工石材製本体（３０）に対して表面処理や細部の構造加工などの仕上げ工程を行い、図７に示すような工作機械用部材（Ａ）を完成させる。
【００２７】
図３、７、８に示すように、本考案に係る工作機械用部材（Ａ）は、人工石材からなる本体（３０）を有し、該人工石材製本体（３０）の内部に複数の鋼製ブラケット（２１）、複数の強化ネット（２２）、及び一つ以上の配管（２３）が埋設され、この内、各鋼製ブラケット（２１）は、人工石材製本体（３０）の内部に埋設され、該各強化ネット（２２）は、人工石材製本体（３０）の周囲付近に埋設され、更に、図面に示されるように本実施例には二つの配管（２３）が平行に且つ所定の間隔で埋設されている。また、前記人工石材製本体（３０）の表層には、複数のねじ穴を有する複数のねじ穴ユニット（２４）が形成されると共に、一つ以上の金属レール（２５）が埋設され、二つの金属レール（２５）が平行且つ所定の間隔で設置される。
【産業上の利用可能性】
【００２８】
本考案は上記の構成を有することから、高鋼性、高振動吸収効果、共鳴が発生し難く、高動態性、低熱伝導率などの特性を提供することができる。
【図面の簡単な説明】
【００２９】
【図１】本考案に係る工作機械用部材の製造工程の流れ図である。
【図２】本考案に係る工作機械用部材の分解斜視図である。
【図３】本考案に係る工作機械用部材の斜視図である。
【図４】本考案に係る工作機械用部材の注入工程の模式図である。
【図５】本考案に係る工作機械用部材の固化成型工程の模式図である。
【図６】本考案に係る工作機械用部材の脱型工程の模式図である。
【図７】本考案の工作機械用部材に係る実施例の斜視図である。
【図８】本考案の工作機械用部材に係る実施例の側面断面図である。
【符号の説明】
【００３０】
１０  金型
１１  下型
１２  側型
１３  溝
２０  組立部材
２１  鋼製ブラケット
２２  強化ネット
２３  配管
２４  ねじ穴ユニット
２５  金属レール
３０  人工石材製本体
５０  振動装置
６０  撹拌装置
Ａ  工作機械用部材
【図３】
0003146852.tif 000003
【図４】
0003146852.tif 000004
【図５】
0003146852.tif 000005
【図６】
0003146852.tif 000006
【図７】
0003146852.tif 000007
【図８】
0003146852.tif 000008
【図１】
0003146852.tif 000009
【図２】
0003146852.tif 000010